(57)【要約】【課題】除湿運転モード時に、冷風と温風とを同時に吹き出し、或は冷風と温風とを混合した混合風を吹き出せるようにした床置き式空気調和機を提供する。【解決手段】室内機本体１の上下部にそれぞれ熱交換器１０、１１が配置され、これらの熱交換器１０、１１に対応させてファン１２、１３をそれぞれ設けると共に上下部に吹出口４、６を開閉可能に設ける。更に、上下部のファン１２、１３間に中間開閉板１６を回転可能に設け、上下部の熱交換器１０、１１及びファン１２、１３を選択して駆動し、且つ中間開閉板１６及び上下部の吹出口４、６を選択して開閉することにより、冷暖房又は除湿の各モードを選択して切換運転する。除湿時には上部熱交換器１０を蒸発器として作用させ、下部熱交換器１１を凝縮器として作用させ、中間開閉板１６を開いて上部ファン１２のみを作動し、或は中間開閉板１６を閉じて上下部ファン１２、１３を両方作動する運転が可能である。【選択図】図４
2009085449.tif 000002
【特許請求の範囲】
【請求項１】
室内機本体の上下部にそれぞれ熱交換器が配置され、これらの熱交換器に対応させてファンをそれぞれ設けると共に上下部に吹出口を開閉可能に設け、前記上下部のファン間に中間開閉板を回転可能に設け、前記上下部の熱交換器、ファンを選択して駆動し、且つ前記中間開閉板及び上下部の吹出口を選択して開閉することにより、室内を冷暖房又は除湿する各モードを選択して切換運転することを特徴とする床置き式空気調和機。
【請求項２】
前記上部熱交換器及び上部ファンを含む上部領域と、下部熱交換器及び下部ファンを含む下部領域とを中間開閉板により仕切って区分し、上部熱交換器は蒸発器として作用させ、下部熱交換器は凝縮器として作用させると共に、上下部のファンをいずれも作動させ、上部吹出口を開いて冷風を吹き出すと同時に下部吹出口を開いて温風を吹き出すことにより足元が冷えないようにして室内を除湿することを特徴とする請求項１に記載の床置き式空気調和機。
【請求項３】
前記上下部の熱交換器はいずれも蒸発器として作用させ、下部ファンは作動させずに上部ファンのみ作動させ、中間開閉板は開くと共に上部吹出口を開いて冷風を吹き出すことにより室内を冷房することを特徴とする請求項１に記載の床置き式空気調和機。
【請求項４】
前記上部熱交換器は蒸発器として作用させ、下部熱交換器は凝縮器として作用させ、下部ファンは作動させずに上部ファンのみ作動させ、中間開閉板は開くと共に上部吹出口を開いて室内機の内部で混合した混合気を吹き出すことにより室内を加熱除湿することを特徴とする請求項１に記載の床置き式空気調和機。
【請求項５】
前記上下部の熱交換器はいずれも凝縮器として作用させ、上下部のファンはいずれも作動させ、中間開閉板は開くと共に上下部の吹出口をいずれも開いて温風をそれぞれ吹き出すことにより室内を暖房することを特徴とする請求項１に記載の床置き式空気調和機。
【発明の詳細な説明】
【技術分野】
【０００１】
本発明は、２Ｗａｙ方式（ダブル）の冷凍サイクルを構成するにより、室内を冷暖房又は除湿する各モードを選択して切換運転するようにした床置き式空気調和機に関する。
【背景技術】
【０００２】
一般に、床置き式空気調和機においては、室内機は上端部に吹出口が形成され、この吹出口から冷風又は温風を吹き出すことにより室内を冷暖房又は除湿するようにしてある。そして、従来の室内機は内部に熱交換器が配設され、この熱交換器に対応させてファンが設けられると共に、このファンと前記吹出口とが連通路を介して接続され、吹出口には開閉扉や風向板等が取り付けられている構成のものが公知である（例えば、特許文献１や特許文献２等）。
【特許文献１】特開２００３−２１３５７
【特許文献２】特開２００７−１７０７８８
【発明の開示】
【発明が解決しようとする課題】
【０００３】
上記のような従来の床置き式空気調和機においては、室内機と室外機とを連絡するようにしてコンプレッサ、凝縮器（熱交換器）、膨張弁、蒸発器（熱交換器）を含む冷凍サイクルが構成されている。そして、室内機の内部に設けられている熱交換器を、冷房時及び除湿時には蒸発器として作用させ、暖房時には凝縮器として作用させることで切換運転をする。
【０００４】
従来の床置き式空気調和機では、冷暖房又は除湿の運転モードを切り換えて冷風又は温風を、吹出口を開いて吹き出すことは可能であるが、例えば除湿運転時に冷風と温風とを同時に別々の吹出口から吹き出したり、或は冷風と温風とを混合した混合風を同一の吹出口から吹き出したりすることはできない。
【０００５】
本発明は、上記従来技術の事態を鑑みてなされたものであり、冷暖房又は除湿の運転モードを切り換えて冷風又は温風を吹き出す床置き式空気調和機において、特に除湿運転時に冷風と温風とを同時に別の吹出口から吹き出し、或は冷風と温風とを混合した混合風を同一の吹出口から吹き出せるようにした床置き式空気調和機を提供することを目的とする。
【課題を解決するための手段】
【０００６】
このような目的を達成するための手段として、本発明の請求項１は、室内機本体の上下部にそれぞれ熱交換器が配置され、これらの熱交換器に対応させてファンをそれぞれ設けると共に上下部に吹出口を開閉可能に設け、前記上下部のファン間に中間開閉板を回転可能に設け、前記上下部の熱交換器、ファンを選択して駆動し、且つ前記中間開閉板及び上下部の吹出口を選択して開閉することにより、室内を冷暖房又は除湿する各モードを選択して切換運転することを特徴とする床置き式空気調和機を要旨とする。
【０００７】
本発明の請求項２は、請求項１に記載の床置き式空気調和機において、前記上部熱交換器及び上部ファンを含む上部領域と、下部熱交換器及び下部ファンを含む下部領域とを中間開閉板により仕切って区分し、上部熱交換器は蒸発器として作用させ、下部熱交換器は凝縮器として作用させると共に、上下部のファンをいずれも作動させ、上部吹出口を開いて冷風を吹き出すと同時に下部吹出口を開いて温風を吹き出すことにより足元が冷えないようにして室内を除湿することを特徴とする。
【０００８】
本発明の請求項３は、請求項１に記載の床置き式空気調和機において、前記上下部の熱交換器はいずれも蒸発器として作用させ、下部ファンは作動させずに上部ファンのみ作動させ、中間開閉板は開くと共に上部吹出口を開いて冷風を吹き出すことにより室内を冷房することを特徴とする。
【０００９】
本発明の請求項４は、請求項１に記載の床置き式空気調和機において、前記上部熱交換器は蒸発器として作用させ、下部熱交換器は凝縮器として作用させ、下部ファンは作動させずに上部ファンのみ作動させ、中間開閉板は開くと共に上部吹出口を開いて室内機の内部で混合した混合気を吹き出すことにより室内を加熱除湿することを特徴とする。
【００１０】
本発明の請求項５は、請求項１に記載の床置き式空気調和機において、前記上下部の熱交換器はいずれも凝縮器として作用させ、上下部のファンはいずれも作動させ、中間開閉板は開くと共に上下部の吹出口をいずれも開いて温風をそれぞれ吹き出すことにより室内を暖房することを特徴とする。
【発明の効果】
【００１１】
上記請求項１の発明によれば、室内機本体の内部に熱交換器とファンとを組み合わせて上下部にそれぞれ配設すると共に、上下部にそれぞれ吹出口を開閉可能に設けることにより２Ｗａｙ方式の冷凍サイクルを構成する。そして、上下部のファン間に中間開閉板を回転可能に設け、上下部の熱交換器及びファンを選択して駆動し、且つ中間開閉板及び上下部の吹出口を選択して開閉することにより室内を冷暖房又は除湿する各モードを選択して切換運転する。これにより、室内を効率良くきめ細かく空調することができ、且つ除湿運転時に冷風と温風とを上下部の吹出口から同時に吹き出し、或は冷風と温風とを混合した混合風を上部の吹出口から吹き出すことができる。
【００１２】
上記請求項２の発明によれば、前記上部熱交換器及び上部ファンを含む上部領域と、下部熱交換器及び下部ファンを含む下部領域とを中間開閉板により仕切って区分し、上部熱交換器は蒸発器として作用させ、下部熱交換器は凝縮器として作用させると共に、上下部のファンをいずれも作動させ、上部吹出口を開いて冷風を吹き出すと同時に下部吹出口を開いて温風を吹き出すことができる。これにより、足元が冷えないようにして室内を加熱除湿することができる。
【００１３】
上記請求項３の発明によれば、上下部の熱交換器はいずれも蒸発器として作用させ、中間開閉板は開いて上部ファンのみ作動させ、上部吹出口を開いて冷風を大量に吹き出すことにより室内を効率良く冷房することができる。
【００１４】
上記請求項４の発明によれば、上部熱交換器は蒸発器として作用させ、下部熱交換器は凝縮器として作用させ、中間開閉板は開いて上部ファンのみ作動させ、上部吹出口を開いて室内機の内部で混合した混合気を吹き出すことができる。これにより、室内を効率良く除湿することができる。
【００１５】
上記請求項５の発明によれば、上下部の熱交換器はいずれも凝縮器として作用させ、上下部のファンはいずれも作動させ、中間開閉板は開くと共に上下部の吹出口をいずれも開いて温風をそれぞれ吹き出すことができる。これにより、室内を効率良く暖房することができる。
【発明を実施するための最良の形態】
【００１６】
次に、本発明に係る床置き式空気調和機の実施形態を添付図面に基づいて説明する。
図１は、本発明に係る床置き式空気調和機の室内機本体を示す概略斜視図である。図２は、本発明に係る床置き式空気調和機において、室内機本体の上下部の吹出口が開いた状態を示す概略斜視図である。図３は、本発明に係る床置き式空気調和機において、室内機本体の正面パネル及びカバーを外した状態を示す概略斜視図である。図４は、本発明に係る床置き式空気調和機の切換運転モードを示すもので、（ａ）は冷房運転モード、（ｂ）は加熱除湿運転モード、（ｃ）は暖房運転モード、（ｄ）は新除湿運転モードをそれぞれ示す説明図である。
【００１７】
図１において、１は本発明に係る床置き式空気調和機の室内機本体であり、図示しない床上に設置されている。２は室内機本体１の前面パネルであり、起伏可能のステー２ａを介して取り付けられ、非使用時には室内機本体１の前面に密着しているが、使用時にはステー２ａを介して前方に平行移動して室内機本体１の前面から離れて隙間が生じ、この隙間から室内の空気を室内機本体１内に取り込むようにしてある。
【００１８】
３は室内機本体１の上部に回転可能に取り付けられた上蓋であり、図２に示す上部吹出口４を開閉できるように構成されている。又、５は室内機本体１の下部に回転可能に取り付けられた下蓋であり、図２に示す下部吹出口６を開閉できるように構成されている。
【００１９】
上部吹出口４には、当該上部吹出口４の幅方向に沿って一定の間隔をあけて並設された複数の風向板７が設けられ、これらの風向板７は連結棒（図略）により連結一体化されており、この連結棒を左右方向に往復動することにより、複数の風向板７を同時に首振り状態に動かして、上部吹出口４から吹き出す冷風又は温風を左右方向に振り分けるようにしてある。
【００２０】
下部吹出口６にも同様に、当該下部吹出口６の幅方向に沿って一定の間隔をあけて並設された複数の風向板８が設けられ、これらの風向板８も連結棒（図略）により連結一体化されており、この連結棒を左右方向に往復動することにより、複数の風向板８を同時に首振り状態に動かして、下部吹出口６から吹き出す冷風又は温風を左右方向に振り分けるようにしてある。
【００２１】
室内機本体１の前面側には、図３に示すように前記前面パネル２に対峙させてフィルタ部材９が着脱自在に取り付けられ、更にその内方には図４に示すように上部熱交換器１０と下部熱交換器１１とが配設されている。この上部熱交換器１０と下部熱交換器１１とは、別体に設けても、又は一体に設けてもよいがそれぞれ別個独立に作用できるように構成する。即ち、図示を省略した室外機と連結するようにしてコンプレッサ、凝縮器、膨張弁、蒸発器等を含む冷凍サイクルが、上部熱交換器１０側と下部熱交換器１１側とでそれぞれ別個に構成され、つまり二つの冷凍サイクルが並設された状態の２Ｗａｙ方式となるように構成される。この場合、冷凍サイクルは周知の構成のもので良い。
【００２２】
室内機本体１の内部には、前記上部熱交換器１０に対応させた上部ファン１２と、下部熱交換器１１に対応させた下部ファン１３がそれぞれ配設され、上部ファン１２は前記上部吹出口４に連通路１４を介して接続され、下部ファン１３は前記下部吹出口６に連通路１５を介して接続されている。
【００２３】
１６は上部ファン１２を含む上部領域と、下部ファン１３を含む下部領域との間に回転可能に設けられた中間開閉板であり、回転軸１６ａ回りに所定角度回転させてその位置で固定することができ、又図４（ｄ）のようにほぼ水平位置に固定すると、上部領域と下部領域とを仕切って区分できるようにしてある。
【００２４】
このように構成されている空気調和機は、室内を冷暖房又は除湿する各運転モードを選択して切換運転することができる。
【００２５】
例えば、図４（ａ）は冷房運転モードを示す説明図であり、これを選択した時には前記上部熱交換器１０及び下部熱交換器１１はいずれも蒸発器として作用し、上部ファン１２は作動し、下部ファン１３は非作動であり、中間開閉板１６は開いてほぼ垂直位置から若干後に傾いた状態に保持される。そして、上部吹出口４は開くと共に下部吹出口６は閉じる。これにより、前記前面パネル２の周囲の隙間から吸入された室内の空気は、フィルタ部材９を通過すると共に、上下部熱交換器１０、１１により冷却され、上部ファン１２により連通路１４を介して上部吹出口４から室内に冷風が吹き出される。尚、冷房能力を上げる場合には、下部ファン１３も作動させて下部吹出口６を開くことにより、当該下部吹出口６からも室内に冷風を吹き出すことができる。
【００２６】
図４（ｂ）は加熱除湿運転モードを示す説明図であり、これを選択した時には前記上部熱交換器１０は蒸発器として作用し、下部熱交換器１１は凝縮器として作用し、上部ファン１２は作動し、下部ファン１３は非作動であり、中間開閉板１６は開いてほぼ垂直位置から若干後に傾いた状態に保持される。そして、上部吹出口４は開くと共に下部吹出口６は閉じる。これにより、前記前面パネル２の周囲の隙間から吸入された室内の空気は、フィルタ部材９を通過すると共に、上部領域では上部熱交換器１０により加熱され、下部領域では下部熱交換器１１により冷却される。そして、加熱された温風と冷却された冷風とは内部で混合し、この混合気は上部ファン１２により連通路１４を介して上部吹出口４から室内に吹き出される。これにより、室内を効率良く除湿することができる。尚、中間開閉板１６の傾斜角度を変えることにより、冷風と暖風の混合比率を変化させることが可能である。
【００２７】
図４（ｃ）は暖房運転モードを示す説明図であり、これを選択した時には前記上部熱交換器１０及び下部熱交換器１１はいずれも凝縮器として作用し、上部ファン１２及び下部ファン１３はいずれも作動し、中間開閉板１６は開いてほぼ垂直位置に保持される。そして、上部吹出口４及び下部吹出口６はいずれも開く。これにより、前記前面パネル２の周囲の隙間から吸入された室内の空気は、フィルタ部材９を通過すると共に、上下部熱交換器１０、１１により加熱され、上部領域では上部ファン１２により連通路１４を介して上部吹出口４から室内に温風が吹き出され、下部領域では下部ファン１３により連通路１５を介して下部吹出口６から温風が吹き出される。これにより、室内を効率良く暖房することができる。尚、中間開閉板１６の傾斜角度を変え、又は及び上下部ファン１２、１３の回転速度を変えることで上下部吹出口４、６からの温風吹出量を調整することが可能である。
【００２８】
図４（ｄ）は新除湿運転モードを示す説明図であり、これを選択した時には前記上部熱交換器１０は蒸発器として作用し、下部熱交換器１１は凝縮器として作用し、上部ファン１２及び下部ファン１３はいずれも作動し、中間開閉板１６はほぼ水平位置に保持して上部領域と下部領域とを仕切って区分する。そして、上部吹出口４及び下部吹出口６はいずれも開く。これにより、前記前面パネル２の周囲の隙間から吸入された室内の空気は、フィルタ部材９を通過すると共に、上部領域では上部熱交換器１０により冷却され、上部ファン１２により連通路１４を介して上部吹出口４から室内に冷風が吹き出され、下部領域では下部熱交換器１１により加熱され、下部ファン１３により連通路１５を介して下部吹出口６から温風が吹き出される。前記加熱除湿と異なる点は、加熱除湿では室内器本体１内で冷風と温風とを混合し、その混合風を室内に吹き出すのに対し、新除湿では冷風と温風とを別個の吹出口からそれぞれ吹き出し、室内で混合するようにしたことである。これにより、足元が冷えないようにして室内を効率良く除湿することができる。これは従来の除湿運転では得られない特殊な効果である。
【産業上の利用可能性】
【００２９】
本発明は、冷暖房又は除湿の運転モードを切り換えて冷風又は温風を吹き出す床置き式空気調和機に利用することができ、除湿運転時には冷風と温風とを同時に吹き出し、或は冷風と温風とを混合した混合風を吹き出せるようにした特異な床置き式空気調和機を提供することができる。
【図面の簡単な説明】
【００３０】
【図１】本発明に係る床置き式空気調和機の実施形態を示す室内機本体の概略斜視図である。
【図２】本発明に係る床置き式空気調和機において、室内機本体の上下部の吹出口が開いた状態を示す概略斜視図である。
【図３】本発明に係る床置き式空気調和機において、室内機本体の正面パネル及びカバーを外した状態を示す概略斜視図である。
【図４】本発明に係る床置き式空気調和機の切換運転モードを示すもので、（ａ）は冷房運転モード、（ｂ）は加熱除湿運転モード、（ｃ）は暖房運転モード、（ｄ）は新除湿運転モードをそれぞれ示す説明図である。
【符号の説明】
【００３１】
１  室内機本体
２  前面パネル
３  上蓋
４  上部吹出口
５  下蓋
６  下部吹出口
７、８  風向板
９  フィルタ部材
１０  上部熱交換器
１１  下部熱交換器
１２  上部ファン
１３  下部ファン
１４、１５  連通路
１６  中間開閉板
【図１】
2009085449.tif 000003
【図２】
2009085449.tif 000004
【図３】
2009085449.tif 000005
【図４】
2009085449.tif 000006